Podtech/llm-jp-corpus-v4-ja_patent huggingface dataset:
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
パパイヤ抽出物と、大麦、非発酵のクマザサ（Sasa  veitchii）及び碾茶の粉砕物から選ばれる少なくとも１種とを有する経口用組成物。
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
記録媒体に記録されている有価価値の情報の読取り及び書換えを行なうユニットと相互通信が可能に接続され、内部に封入された遊技球を循環させて遊技を行う封入式遊技機であって、
遊技領域に配された入球口への遊技球の入球に応じて遊技の進行を制御する主制御装置と、
前記主制御装置から受信する情報に基づいて、演出機器を制御するサブ制御装置と、
遊技者が遊技に使用可能な遊技球である持ち球の数を管理する枠制御装置と、を備え、
該枠制御装置は、
前記遊技領域へ遊技球を発射する発射装置と、
遊技者の操作に基づいて、前記発射装置による遊技球の発射強度を初期強度から所望の強度へと調整する発射強度調整手段と、
遊技者の操作に基づいて、前記発射強度調整手段によって調整された前記発射強度を固定する発射強度固定手段と、
前記発射強度固定手段による前記発射強度の固定を解除する固定解除手段と、
前記固定解除手段による前記発射強度の解除に応じて、前記発射強度を前記初期強度に設定する初期設定手段と、を含み
前記遊技領域は、
所定の発射強度未満で発射される遊技球が主に転動する第１の遊技領域と、
前記所定の発射強度以上で発射される遊技球が主に転動する第２の遊技領域と
を含み、
前記第１の遊技領域に第１始動口を配し、
前記第２の遊技領域に入球率が変化する可変入球装置からなる第２始動口と、通常遊技状態よりも遊技者に有利な大当り遊技状態で遊技球が入球可能となるように作動する大入賞口とを配し
前記主制御装置は、
前記第１始動口および前記第２始動口への遊技球の入球に起因して、前記大当り遊技状態に移行するか否かを判定する当否判定手段と、
所定の条件を満たすと、前記大当り遊技状態の終了後、前記可変入賞装置の開放時間を前記通常遊技状態より延長する開放延長状態を実行する開放延長実行手段と、を含み、
前記主制御装置は、１つの契機で１つの情報を前記サブ制御装置と前記枠制御装置とに送信し、
前記サブ制御装置は、前記１つの情報の受信に基づいて、前記発射強度の変更を促す報知を指示し、
前記枠制御装置は、前記１つの情報の受信に基づいて、前記固定解除手段に前記発射強度の固定を解除する指示を行う
ことを特徴とする封入式弾球遊技機。
【請求項２】
請求項１記載の封入式遊技機において、
前記１つの契機を前記大当り遊技状態への移行時とし、前記１つの情報を当該大当り状態への移行を示す情報とした
ことを特徴とする封入式弾球遊技機。
【請求項３】
請求項１記載の封入式遊技機において、
前記１つの契機を前記開放延長状態の終了時とし、前記１つの情報を前記開放延長状態から前記通常遊技状態への移行を示す情報とした
ことを特徴とする封入式弾球遊技機。
【手続補正２】
【補正対象書類名】明細書
【補正対象項目名】０００６
【補正方法】変更
【補正の内容】
【０００６】
請求項１記載の弾球遊技機は、
記録媒体に記録されている有価価値の情報の読取り及び書換えを行なうユニットと相互通信が可能に接続され、内部に封入された遊技球を循環させて遊技を行う封入式遊技機であって、
遊技領域に配された入球口への遊技球の入球に応じて遊技の進行を制御する主制御装置と、
前記主制御装置から受信する情報に基づいて、演出機器を制御するサブ制御装置と、
遊技者が遊技に使用可能な遊技球である持ち球の数を管理する枠制御装置と、を備え、
該枠制御装置は、
前記遊技領域へ遊技球を発射する発射装置と、
遊技者の操作に基づいて、前記発射装置による遊技球の発射強度を初期強度から所望の強度へと調整する発射強度調整手段と、
遊技者の操作に基づいて、前記発射強度調整手段によって調整された前記発射強度を固定する発射強度固定手段と、
前記発射強度固定手段による前記発射強度の固定を解除する固定解除手段と、
前記固定解除手段による前記発射強度の解除に応じて、前記発射強度を前記初期強度に設定する初期設定手段と、を含み
前記遊技領域は、
所定の発射強度未満で発射される遊技球が主に転動する第１の遊技領域と、
前記所定の発射強度以上で発射される遊技球が主に転動する第２の遊技領域と
を含み、
前記第１の遊技領域に第１始動口を配し、
前記第２の遊技領域に入球率が変化する可変入球装置からなる第２始動口と、通常遊技状態よりも遊技者に有利な大当り遊技状態で遊技球が入球可能となるように作動する大入賞口とを配し
前記主制御装置は、
前記第１始動口および前記第２始動口への遊技球の入球に起因して、前記大当り遊技状態に移行するか否かを判定する当否判定手段と、
所定の条件を満たすと、前記大当り遊技状態の終了後、前記可変入賞装置の開放時間を前記通常遊技状態より延長する開放延長状態を実行する開放延長実行手段と、を含み、
前記主制御装置は、１つの契機で１つの情報を前記サブ制御装置と前記枠制御装置とに送信し、
前記サブ制御装置は、前記１つの情報の受信に基づいて、前記発射強度の変更を促す報知を指示し、
前記枠制御装置は、前記１つの情報の受信に基づいて、前記固定解除手段に前記発射強度の固定を解除する指示を行う
ことを特徴とする封入式弾球遊技機である。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
遊技領域に発射された遊技球を入球可能な始動口と、
大入賞口を開閉する可動片を備え、且つ該大入賞口を介して遊技球を流入可能な閉鎖作動領域を備えてなる可変入賞装置と、
前記始動口への遊技球の入球を契機として、前記可変入賞装置の可動片を開放作動すると共に、前記大入賞口から閉鎖作動領域内への遊技球の流入に基づいて、所定の特別遊技条件が成立すると、前記可動片を所定の開閉作動態様により開閉作動させる特別遊技を実行する特別遊技制御手段とを備えた弾球遊技機において、
前記特別遊技制御手段は、
前記始動口への入球を作動契機とする前記可動片の開放作動の開放回数値を複数備え、該始動口への遊技球の入球を契機として、いずれか一の開放回数値を選択する抽選を、予め設定された抽出確率に従って行う開放数抽選手段と、
該開放数抽選手段により選択された開放回数値に従って、前記可変入賞装置の可動片を開放作動する可動片作動制御手段とを備えてなるものであり、
前記開放数抽選手段の抽出確率を定めるものであって、相互に異なる複数の前記抽出確率を備え、管理者の操作によっていずれか一の抽出確率を有効としてセットされる確率セット手段を備えていることを特徴とする弾球遊技機。
【請求項２】
所定の選出図柄を変動表示すると共に、該選出図柄の停止図柄態様によって、前記開放数抽選手段により抽選された開放回数値を報知する図柄表示装置を備え、
前記特別遊技制御手段は、
遊技球の始動口への入球前から前記選出図柄を変動表示させ、該始動口へ入球すると、前記開放数抽選手段で抽選された開放回数値を示す停止図柄態様により該選出図柄を停止表示させる選出図柄表示制御手段を備えていることを特徴とする請求項１に記載の弾球遊技機。
【請求項３】
所定の選出図柄を変動表示すると共に、該選出図柄の停止図柄態様によって、前記開放数抽選手段により抽選された開放回数値を報知する図柄表示装置を備え、
前記特別遊技制御手段は、
遊技球の始動口への入球により前記選出図柄を変動表示させた後、前記開放数抽選手段で抽選された開放回数値を示す停止図柄態様により該選出図柄を表示させる選出図柄表示制御手段を備えていることを特徴とする請求項１に記載の弾球遊技機。
【請求項４】
遊技領域に発射された遊技球を入球可能な始動口と、
大入賞口を開閉する可動片を備え、且つ該大入賞口を介して遊技球を流入可能な閉鎖作動領域を備えてなる可変入賞装置と、
前記始動口への遊技球の入球を作動契機とする前記可動片の開放作動により前記大入賞口から閉鎖作動領域内に遊技球が流入することに基づいて、所定の特別遊技条件が成立すると、前記可動片の開閉作動により発生させる開閉ラウンドを、所定継続条件の成立により、予め設定された継続制限回数まで継続する特別遊技を実行する特別遊技制御手段とを備えた弾球遊技機において、
前記特別遊技制御手段は、
前記特別遊技の非実行中における大入賞口への遊技球の入球を契機として、予め設定された当選確率に従って当否抽選を行う当否抽選手段と、
該当否抽選で当りとなることにより、前記特別遊技条件が成立すると、前記特別遊技を実行する特別作動手段とを備え、
さらに、該特別作動手段が、前記開閉ラウンドで開放された前記大入賞口への遊技球の入球を契機として、予め設定された継続確率に従って抽選を行い、該抽選結果が当りであることに基づいて、前記継続条件を成立させるラウンド継続制御処理を備えてなるものであり、
前記ラウンド継続制御処理の継続確率を定めるものであって、相互に異なる複数の前記継続確率を備え、管理者の操作によっていずれか一の継続確率を有効としてセットされる確率セット手段を備えていることを特徴とする弾球遊技機。
【手続補正２】
【補正対象書類名】明細書
【補正対象項目名】００１３
【補正方法】変更
【補正の内容】
【００１３】
本発明の第三発明は、所定の選出図柄を変動表示すると共に、該選出図柄の停止図柄態様によって、開放数抽選手段により抽選された開放回数値を報知する図柄表示装置を備え、特別遊技制御手段は、遊技球の始動口への入球により選出図柄を変動表示させた後、開放数抽選手段で抽選された開放回数値を示す停止図柄態様により該選出図柄を表示させる選出図柄表示制御手段を備えていることを特徴とする請求項１に記載の弾球遊技機である。
【手続補正３】
【補正対象書類名】明細書
【補正対象項目名】００１４
【補正方法】変更
【補正の内容】
【００１４】
第三発明は、遊技球の始動口への入球により選出図柄を変動表示させた後、開放数抽選手段で抽選された開放回数値を示す停止図柄態様により該選出図柄を表示させる。これにより、第三発明は、第一発明の効果の他、開放数抽選手段の抽選結果を図柄表示装置で報知することから、可動片の開放作動回数を抽選により決定するという遊技性を遊技者に提供でき、遊技の興趣を向上できる効果を有する。
また、第三発明は、選出図柄の停止表示に同期して可変入賞装置の可動片を開放作動させれば、始動口への入球から可動片の開放作動に至る応答性を高めることができる効果を有する。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１９
【補正方法】変更
【補正の内容】
【００１９】
ここで、「継続条件」は、ラウンド継続制御処理による抽選で当りとなることのみとしても良いし、該抽選の当りと他の要件との両方が充足されることとしても良い。後者としては、例えば、前記抽選の当りによって、閉鎖作動領域内に設けられた継続領域へ遊技球が誘導されて、該継続領域に遊技球が入球することを、「継続条件」とすることができる。この具体例として、可変入賞装置は、閉鎖作動領域内に、継続領域を備えると共に、大入賞口から流入した遊技球を、該継続領域に誘導する誘導機構を備えてなるものであって、特別作動手段は、ラウンド継続制御処理により当りとなると、該誘導機構により遊技球を継続領域に誘導し、該継続領域への遊技球通過により継続条件が成立するようにした構成が、好適に用いられる。
尚、閉鎖作動領域内に特定領域と振分機構とを備えた上記構成とした場合には、該振分機構を前記誘導機構とし且つ特定領域を前記継続領域とする構成としても良いし、振分機構と別に誘導機構を備えた構成や、特定領域と別に継続領域を備えた構成としても良い。
また、ラウンド継続制御処理の抽選を行う契機とする「大入賞口への遊技球の入球」についても、前記した当否抽選手段による当否抽選を行う契機とする「大入賞口への遊技球の入球」と同様に規定することができる。
また、「閉鎖作動領域」は、上述した第一発明と同様である。
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
ユーザの身体に低周波電流を印加することにより低周波治療を実行する治療部と、
前記低周波電流が印加されている箇所の振動を検出する検出部と、
前記振動が検出された場合に、前記低周波電流が印加されている箇所の振動を防止するための防止処理を実行する実行部とを備え、
前記防止処理は、前記低周波電流が印加されている箇所を変更する旨を通知するための処理を含む、低周波治療器。
【請求項２】
前記低周波治療器は、複数の前記治療部を備え、
前記防止処理は、前記振動が検出されたときに前記低周波電流を印加していた前記治療部から、他の治療部に変更する処理を含む、請求項１に記載の低周波治療器。
【請求項３】
前記防止処理は、前記低周波治療の強度を低下させるように、印加される前記低周波電流を制御する処理を含む、請求項１または請求項２に記載の低周波治療器。
【請求項４】
前記検出部は、前記低周波電流が印加されている箇所の加速度が閾値よりも大きいことを検出することにより、前記振動を検出する、請求項１〜３のいずれか１項に記載の低周波治療器。
【請求項５】
前記閾値の設定を受付ける第１受付部をさらに備える、請求項４に記載の低周波治療器。
【請求項６】
前記実行部が、前記振動が検出された場合に前記防止処理を実行する第１モードと、
前記実行部が、前記振動が検出された場合に前記防止処理を実行しない第２モードとを含む複数のモードのうち、設定するモードをユーザから受付ける第２受付部をさらに備える、請求項１〜請求項５のいずれか１項に記載の低周波治療器。
【手続補正２】
【補正対象書類名】明細書
【補正対象項目名】００３５
【補正方法】変更
【補正の内容】
【００３５】
通信部１６０は、アンテナ１６２を介して移動体通信網に接続し無線通信のための信号を送受信する。これにより、端末装置１０は、たとえば、ＬＴＥ（Long  Term  Evolution）などの移動体通信網を介して他の通信装置（たとえば、サーバ、他の端末装置１０）との通信が可能となる。
【手続補正３】
【補正対象書類名】明細書
【補正対象項目名】００６１
【補正方法】変更
【補正の内容】
【００６１】
図７は、実施形態２にかかる低周波治療器６００の内部構成を概略的に示す図である。図７と図２とを比較すると、図２は対電極が１つであったが、図７は対電極がＮ個ある点で両図面は異なる。また、制御部２０３は、電流生成部２０４を制御することにより、治療電流の出力に用いる対電極を順次切替えることができる。つまり、制御部２０３は、電流生成部２０４を制御することにより、Ｎ個の対電極４０１、４０２，．．．，４０Ｎについて、治療電流を出力する＋極の電極を順次切替えることができる。
【手続補正４】
【補正対象書類名】明細書
【補正対象項目名】００７１
【補正方法】変更
【補正の内容】
【００７１】
Ｓ２１、Ｓ２２、Ｓ２４の処理は、図４のＳ１、Ｓ２、Ｓ４の処理と同一である。Ｓ２４の処理でＹＥＳと判断された場合には、Ｓ２６に進む。Ｓ２６では、印加箇所の振動を消失させるように、治療電流の出力を変更する。Ｓ２６では、たとえば、低周波治療の強度を低下させるように、低周波電流の印加を制御する処理を実行する。たとえば、低周波電流の波形には、３つのパラメータが含まれる。この３つのパラメータとは振幅と、パルス幅と、パルス周波数とを含む。これら３つのパラメータのうち、少なくとも１つのパラメータを変更することにより、低周波治療の強度を低下させることができる。たとえば、振幅を低下させることにより、低周波治療の強度を低下させるようにする。
【手続補正５】
【補正対象書類名】明細書
【補正対象項目名】００８３
【補正方法】変更
【補正の内容】
【００８３】
（２）  前述の加速度センサは、ユーザの印加箇所の振動による加速の加速度のみならず、ユーザの動作（たとえば、ユーザの歩行）による加速の加速度をも検出するものであった。つまり、前述の加速度センサは、微動による加速の加速度、および大きな動きによる加速の加速度の双方を検出するものであるとして説明した。しかしながら、本変形例の加速度センサは、フィルタリング処理などにより、大きな動き（ユーザの動作）による加速の加速度を検出せずに、微動（ユーザの印加箇所の振動）の加速度を検出するものであってもよい。このような加速度センサを用いることにより、ユーザが歩行しているか否かに関わらず、前述の低周波治療を実施できる。
【手続補正６】
【補正対象書類名】明細書
【補正対象項目名】００８６
【補正方法】変更
【補正の内容】
【００８６】
２０  低周波治療器、２０３  制御部、２０４  電流生成部、２０６  記憶部。
【手続補正７】
【補正対象書類名】図面
【補正対象項目名】図６
【補正方法】変更
【補正の内容】
【図６】
2019033775.tif 000001
【手続補正８】
【補正対象書類名】図面
【補正対象項目名】図１０
【補正方法】変更
【補正の内容】
【図１０】
2019033775.tif 000002
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
キサンチンデヒドロゲナーゼ遺伝子の機能を喪失または低活性で発現し、且つ、ヒポキサンチンホスホリボシルトランスフェラーゼを高活性で発現する、非ヒト動物またはその一部。
【請求項２】
前記キサンチンデヒドロゲナーゼ遺伝子の機能を喪失した、請求項１に記載の非ヒト動物またはその一部。
【請求項３】
更に、ウリカーゼ遺伝子の機能を喪失した、請求項２に記載の非ヒト動物またはその一部。
【請求項４】
更に、ヒト由来のキサンチンデヒドロゲナーゼ遺伝子を有する、請求項３に記載の非ヒト動物またはその一部。
【請求項５】
更に、ウリカーゼ遺伝子の機能を喪失し、前記キサンチンデヒドロゲナーゼ遺伝子として、プロモーターの活性を低下させたキサンチンデヒドロゲナーゼ遺伝子を有する、請求項１に記載の非ヒト動物またはその一部。
【請求項６】
非ヒト動物がげっ歯類である、請求項１〜５のいずれか一項に記載の非ヒト動物またはその一部。
【請求項７】
請求項１〜６のいずれか一項に記載の非ヒト動物またはその一部の、ヒト尿酸代謝モデル動物としての使用。
【請求項８】
請求項１〜６のいずれか一項に記載の非ヒト動物またはその一部を使用することを特徴とする、ヒト尿酸代謝に関連する疾患に対する治療剤または予防剤のスクリーニング方法。
【請求項９】
ヒト尿酸代謝に関連する疾患が発症する環境下において、請求項１〜６のいずれか一項に記載の非ヒト動物またはその一部に被験物質を接触させ、対照と比較することにより、前記疾患に対する治療剤または予防剤の候補を選択する、請求項８に記載のスクリーニング方法。
【手続補正２】
【補正対象書類名】明細書
【補正対象項目名】０００９
【補正方法】変更
【補正の内容】
【０００９】
前記課題は、本発明による、
［１］キサンチンデヒドロゲナーゼ（Ｘｄｈ）遺伝子の機能を喪失または低活性で発現し、且つ、ヒポキサンチンホスホリボシルトランスフェラーゼ（ＨＰＲＴ）を高活性で発現する、非ヒト動物またはその一部、
［２］前記キサンチンデヒドロゲナーゼ（Ｘｄｈ）遺伝子の機能を喪失した、［１］の非ヒト動物またはその一部（ＨＰＲＴ高活性−Ｘｄｈ−ＫＯ）、
「３」更に、ウリカーゼ（Ｕｏｘ）遺伝子の機能を喪失した、［２］の非ヒト動物またはその一部（ＨＰＲＴ高活性−Ｕｏｘ−Ｘｄｈ−ＤＫＯ）、
［４］更に、ヒト由来のキサンチンデヒドロゲナーゼ（ＸＤＨ）遺伝子を有する、［３］の非ヒト動物またはその一部（ＨＰＲＴ高活性−Ｕｏｘ−Ｘｄｈ−ＤＫＯ−ヒトＸＤＨ低発現）、
［５］更に、ウリカーゼ（Ｕｏｘ）遺伝子の機能を喪失し、前記キサンチンデヒドロゲナーゼ（Ｘｄｈ）遺伝子として、プロモーターの活性を低下させたキサンチンデヒドロゲナーゼ（Ｘｄｈ）遺伝子を有する、［１］の非ヒト動物またはその一部（ＨＰＲＴ高活性−Ｕｏｘ−ＫＯ−非ヒトＸｄｈ低発現）、
［６］非ヒト動物がげっ歯類である、［１］〜［５］のいずれかの非ヒト動物またはその一部、
［７］［１］〜［６］のいずれかの非ヒト動物またはその一部の、ヒト尿酸代謝モデル動物としての使用、
［８］［１］〜［６］のいずれかの非ヒト動物またはその一部を使用することを特徴とする、ヒト尿酸代謝に関連する疾患に対する治療剤または予防剤のスクリーニング方法、
［９］ヒト尿酸代謝に関連する疾患が発症する環境下において、［１］〜［６］のいずれかの非ヒト動物またはその一部に被験物質を接触させ、対照と比較することにより、前記疾患に対する治療剤または予防剤の候補を選択する、［８］のスクリーニング方法
により解決することができる。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技を実行可能であり、遊技者にとって有利な有利状態に制御可能な遊技機であって、
遊技に用いた遊技媒体を検出可能な検出手段と、
前記検出手段からの検出信号が送信される信号線と、
前記検出信号を受信する受信手段と、
前記検出信号の受信状態の異常を検知可能な異常検知手段と、
所定条件が成立することに基づいて遊技媒体を払い出す払出手段と、
前記有利状態と異なる所定状態において前記検出手段によって検出された遊技媒体数と、前記所定状態において前記払出手段によって払い出された遊技媒体数と、に基づいて算出される所定情報を表示可能な情報表示手段と、を備え、
前記異常検知手段によって受信状態の異常が検知された場合に、受信状態の異常が検知されたことを、前記情報表示手段による表示態様を変更することによって報知可能とする、ことを特徴とする遊技機。
【手続補正２】
【補正対象書類名】明細書
【補正対象項目名】０００６
【補正方法】変更
【補正の内容】
【０００６】
手段Ｃ１の遊技機は、
遊技を実行可能であり、遊技者にとって有利な有利状態（例えば、大当り遊技状態、確変状態、時短状態等）に制御可能な遊技機（例えば、パチンコ遊技機、スロットマシン等）であって、
遊技に用いた遊技媒体（例えば、遊技領域１０等）を検出可能な検出手段（例えば、図１０３、図１０７等に示したアウト球検出器７１０等）と、
前記検出手段からの検出信号が送信される信号線（例えば、図１０３に示した信号線７３４等）と、
前記検出信号を受信する受信手段（例えば、主基板１１、主基板１１側に設けられた所定の接続部等）と、
前記検出信号の受信状態の異常を検知可能な異常検知手段（例えば、図１０４のエラー報知処理を実行するＣＰＵ１０３等）と、
所定条件が成立（例えば、第１始動入賞口となる普通入賞球装置６Ａ、第２始動入賞口となる普通可変入賞球装置６Ｂ、一般入賞領域となる一般入賞口５０Ａ〜５０Ｄ、大入賞口となる特別可変入賞球装置７への入賞等）することに基づいて遊技媒体を払い出す払出手段（例えば、球払出装置，払出機構等）と、
前記有利状態と異なる所定状態（例えば、通常状態等。具体的には、確変フラグ、時短フラグ、ラウンド遊技中フラグの何れもオフの状態等）において前記検出手段によって検出された遊技媒体数（例えば、打込玉数等）と、前記所定状態において前記払出手段によって払い出された遊技媒体数（例えば、各入賞口への入賞による賞球数等）と、に基づいて算出される所定情報（例えば、図８３の性能情報等）を表示可能（例えば、性能表示を可能等）な情報表示手段（例えば、図１０７の表示モニタ１１３０等）と、を備え、
前記異常検知手段によって受信状態の異常が検知された場合に、受信状態の異常が検知されたことを、前記情報表示手段による表示態様を変更（例えば、図１０５や図１０６に示すように表示態様を変更等）することによって報知可能とする。
これによれば、情報表示手段が、正確ではない表示を行うことを防止することができる。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、
複数の可動物と、
前記複数の可動物の動作を制御する動作制御手段と、
画像を表示可能な表示手段と、を備え、
前記動作制御手段は、非遊技中に前記複数の可動物を各々の待機位置から前記表示手段に重畳する所定位置に移動させ、
前記複数の可動物は、同時に前記所定位置から各々の前記待機位置へ移動することができず、
前記動作制御手段は、遊技者の操作に基づいて前記表示手段に複数種類の項目を選択可能な遊技機の設定画面に関する設定画像が表示されたときに、前記所定位置にある前記複数の可動物のうち前記表示手段に重畳する面積の大きいものから順に前記待機位置へ移動させ、
前記表示手段は、前記設定画像と異なる前記遊技機の音量を調整するための音量調整画像を表示可能であり、
前記音量調整画像は、前記複数の可動物が移動している状態でも遊技者から認識可能な位置に表示される、
遊技機。
【請求項２】
遊技を行なうことが可能な遊技機であって、
複数の可動物と、
前記複数の可動物の動作を制御する動作制御手段と、
画像を表示可能な表示手段と、を備え、
前記動作制御手段は、非遊技中に前記複数の可動物を各々の待機位置から前記表示手段に重畳する所定位置に移動させ、
前記複数の可動物は、同時に前記所定位置から各々の前記待機位置へ移動することができず、
前記動作制御手段は、遊技者の操作に基づいて前記表示手段に複数種類の項目を選択可能な遊技機の設定画面に関する設定画像が表示されたときに、前記所定位置にある前記複数の可動物のうち前記設定画像における最初に選択されている項目に重畳する位置の可動物から前記待機位置へ移動させ、
前記表示手段は、前記設定画像と異なる前記遊技機の音量を調整するための音量調整画像を表示可能であり、
前記音量調整画像は、前記複数の可動物が移動している状態でも遊技者から認識可能な位置に表示される、
遊技機。
【手続補正２】
【補正対象書類名】明細書
【補正対象項目名】０００６
【補正方法】変更
【補正の内容】
【０００６】
（１）  上記目的を達成するため、本発明に係る遊技機は、
遊技を行なうことが可能な遊技機（たとえば、パチンコ遊技機１等）であって、
複数の可動物（たとえば、上役物１２ａ，下役物１２ｂ）と、
前記複数の可動物の動作を制御する動作制御手段（演出制御用マイクロコンピュータ１００，上役物モータ１７ａ，下役物モータ１７ｂ等）と、
画像を表示可能な表示手段（たとえば、演出表示装置９等）と、を備え、
前記動作制御手段は、非遊技中（たとえば、客待ちデモ状態中等）に前記複数の可動物を各々の待機位置（たとえば、図１に示す待機位置等）から前記表示手段に重畳する所定位置（たとえば、図１２（ｄ）に示す進出位置等）に移動させ、
前記複数の可動物は、同時に前記所定位置から各々の前記待機位置へ移動することができず（たとえば、上役物１２ａと下役物１２ｂとは同時に進出位置から待機位置へ移動すると干渉する等）、
前記動作制御手段は、遊技者の操作（たとえば、図１２に示すプッシュボタン１２０への操作等）に基づいて前記表示手段に複数種類の項目を選択可能な遊技機の設定画面に関する設定画像（たとえば、図１２（ｅ）に示すメニュー画面１３２等）が表示されたときに、前記所定位置にある前記複数の可動物のうち前記表示手段に重畳する面積の大きいものから順に前記待機位置へ移動させる（たとえば、図１２（ｅ）〜（ｇ）に示すように、演出表示装置９に重畳する面積の大きい上役物１２ａから順に待機位置へ移動させる等）、
前記表示手段は、前記設定画像と異なる前記遊技機の音量を調整するための音量調整画像を表示可能であり、
前記音量調整画像は、前記複数の可動物が移動している状態でも遊技者から認識可能な位置に表示される。
【手続補正３】
【補正対象書類名】明細書
【補正対象項目名】０００８
【補正方法】変更
【補正の内容】
【０００８】
（２）  上記目的を達成するため、本発明に係る遊技機は、
遊技を行なうことが可能な遊技機（たとえば、パチンコ遊技機１等）であって、
複数の可動物（たとえば、上役物１２ａ，下役物１２ｂ）と、
前記複数の可動物の動作を制御する動作制御手段（たとえば、演出制御用マイクロコンピュータ１００，上役物モータ１７ａ，下役物モータ１７ｂ等）と、
画像を表示可能な表示手段（たとえば、演出表示装置９等）と、を備え、
前記動作制御手段は、非遊技中（たとえば、客待ちデモ状態中等）に前記複数の可動物を各々の待機位置（たとえば、図１に示す待機位置等）から前記表示手段に重畳する所定位置（たとえば、図１２（ｄ）に示す進出位置等）に移動させ、
前記複数の可動物は、同時に前記所定位置から各々の前記待機位置へ移動することができず（たとえば、上役物１２ａと下役物１２ｂとは同時に進出位置から待機位置へ移動すると干渉する等）、
前記動作制御手段は、遊技者の操作（たとえば、図１２に示すプッシュボタン１２０への操作等）に基づいて前記表示手段に複数種類の項目を選択可能な遊技機の設定画面（たとえば、図１２（ｅ）に示すメニュー画面１３２等）に関する設定画像が表示されたときに、前記所定位置にある前記複数の可動物のうち前記設定画像における最初に選択されている項目に重畳する位置の可動物から前記待機位置へ移動させ（たとえば、図１２（ｅ）〜（ｇ）に示すように、メニュー画面１３２における初期カーソル位置に重畳する上役物１２ａから順に待機位置へ移動させる等）、
前記表示手段は、前記設定画像と異なる前記遊技機の音量を調整するための音量調整画像を表示可能であり、
前記音量調整画像は、前記複数の可動物が移動している状態でも遊技者から認識可能な位置に表示される。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
変動表示に対応する特定表示を表示可能な特定表示手段と、
前記特定表示の表示態様を複数種類の表示態様に変化させる変化演出を実行可能な変化演出実行手段と、
前記特定表示が表示されているときに、所定契機で特定画像を表示可能な画像表示手段と、を備え、
前記特定画像は、第１特定画像および当該第１特定画像と異なる第２特定画像を含み、
前記変化演出実行手段は、複数種類の前記変化演出を実行可能であるとともに、前記特定画像により前記特定表示の表示態様を変化させ、
前記画像表示手段は、前記所定契機で前記特定画像を隠蔽した隠蔽態様により表示可能であり、該隠蔽態様により表示した後の所定条件の成立に基づいて前記特定画像を認識可能な表示態様で表示する、遊技機。
【手続補正２】
【補正対象書類名】明細書
【補正対象項目名】０００６
【補正方法】変更
【補正の内容】
【０００６】
（１）  変動表示を行ない、遊技者にとって有利な有利状態（大当り遊技状態等）に制御可能な遊技機（パチンコ遊技機１等）であって、
変動表示に対応する特定表示（保留表示Ｈ、アクティブ表示ＡＨ等）を表示可能な特定表示手段（演出制御用マイクロコンピュータ１００等）と、
前記特定表示の表示態様を複数種類の表示態様に変化させる変化演出（色を変化させる第１変化演出，文字画像６３を付加する第２変化演出等）を実行可能な変化演出実行手段（演出制御用マイクロコンピュータ１００等）と、
前記特定表示が表示されているときに、所定契機で特定画像（第１キャラクタ画像６１、第２キャラクタ画像６２等）を表示可能な画像表示手段（演出制御用マイクロコンピュータ１００等）と、を備え、
前記特定画像は、第１特定画像および当該第１特定画像と異なる第２特定画像を含み、
前記変化演出実行手段は、複数種類の前記変化演出を実行可能であるとともに、前記特定画像により前記特定表示の表示態様を変化させ（第１キャラクタ画像６１や第２キャラクタ画像６２により保留表示Ｈやアクティブ表示ＡＨの表示態様を変化させる等）、
前記画像表示手段は、前記所定契機（始動入賞契機等）で前記特定画像を隠蔽した隠蔽態様により表示可能であり（第１キャラクタ画像６１や第２キャラクタ画像６２を図１４（ｂ）に示す隠蔽態様により表示する等）、該隠蔽態様により表示した後の所定条件の成立に基づいて前記特定画像を認識可能な表示態様で表示する（Ｓ６２２〜Ｓ６２４に示すように、変化対象となるターゲットの保留表示が表示されてから変化対象となるターゲットの保留表示の変動表示が開始され５秒以内の間までに、新たな始動入賞が発生したことを条件に隠蔽態様の第１キャラクタ画像６１や第２キャラクタ画像６２を通常態様で表示する等）。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
未だ開始されていない可変表示に関する情報を保留記憶として記憶する保留記憶手段と、
前記保留記憶に対応した特定表示を表示する特定表示手段と、を備え、
前記特定表示の表示サイズとして、大きさの異なる３つの表示サイズがあり、
前記特定表示の種類として、第１表示と第２表示とがあり、
前記特定表示の種類が前記第１表示から前記第２表示に変化することを示唆する変化示唆演出を実行する変化示唆演出実行手段をさらに備え、
前記変化示唆演出は複数種類あり、
前記特定表示が前記３つの表示サイズのうちの第１の表示サイズで表示されているときと第２の表示サイズで表示されているときとで、前記変化示唆演出の種類と実行割合とが異なる、
遊技機。
【手続補正２】
【補正対象書類名】明細書
【補正対象項目名】０００６
【補正方法】変更
【補正の内容】
【０００６】
（１）上記目的を達成するため、本発明に係る遊技機は、
可変表示（例えば、第２特図ゲームなど）を実行し、遊技者にとって有利な有利状態（例えば、大当り遊技状態など）に制御可能な遊技機（例えば、パチンコ遊技機など）であって、
未だ開始されていない可変表示に関する情報を保留記憶として記憶する保留記憶手段（例えば、第１特図保留記憶部や第２特図保留記憶部など）と、
前記保留記憶に対応した特定表示（例えば、保留対応画像Ｈ１〜Ｈ４などの保留表示、アクティブ表示）を表示する特定表示手段（例えば、演出制御基板１２など）と、を備え、
前記特定表示の表示サイズとして、大きさの異なる３つの表示サイズ（例えば、大サイズ、中サイズ、小サイズなど）があり、
前記特定表示の種類として、第１表示（例えば、シルエットなど）と第２表示（例えば、キャラＡ〜Ｄのいずれかなど）とがあり、
前記特定表示の種類が前記第１表示から前記第２表示に変化することを示唆する変化示唆演出（例えば、変化示唆演出など）を実行する変化示唆演出実行手段（例えば、演出制御基板１２など）をさらに備え、
前記変化示唆演出は複数種類あり、
前記特定表示が前記３つの表示サイズのうちの第１の表示サイズ（例えば、大サイズなど）で表示されているときと第２の表示サイズ（例えば、中サイズなど）で表示されているときとで、前記変化示唆演出の種類と実行割合とが異なる、（例えば、保留対応画像Ｈ１〜Ｈ４が大サイズで表示されている期間の方が中サイズで表示されている期間よりも到来する割合が高いので、保留の発生に基づく変化示唆演出の実行割合は、大サイズで表示されている期間の方が高いなど）。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
演出表示手段と、
演出の実行を制御する演出制御手段と、
を備え、
前記演出表示手段は、可変表示に対応する特定表示を、第１態様と該第１態様と異なる第２態様とを含む複数態様にて表示可能であり、
前記演出表示手段における所定領域の表示態様によって前記有利状態に制御される割合が異なり、
前記演出制御手段は、
前記所定領域の表示態様を変化させる所定領域変化演出と、
特定表示の表示態様を変化させる特定表示変化演出と、
前記演出表示手段に特別画像を表示する特別画像表示演出と、
前記特別画像表示演出の実行後において、複数のタイミングのうちのいずれかのタイミングにて前記特別画像の態様を変化させる特別演出と、
前記所定領域変化演出と前記特定表示変化演出と前記特別画像表示演出とのいずれかが実行されることを示唆する第１パターンと、前記所定領域変化演出と前記特別画像表示演出の両方が実行されることを示唆する第２パターンとを含む特定演出と、
前記有利状態に制御されるか否かを報知可能なリーチ演出と、
を実行可能であり、
前記特定演出が実行された後に、前記所定領域変化演出と前記特定表示変化演出と前記特別画像表示演出のいずれも実行されない場合があり、
１の可変表示において前記リーチ演出が実行される前に前記特定演出が実行される場合と実行されない場合とがあり、
前記リーチ演出が実行される前に前記特定演出が実行される場合の方が、前記リーチ演出が実行される前に前記特定演出が実行されない場合よりも前記有利状態に制御される割合が高い
ことを特徴とする遊技機。
【請求項２】
前記第２態様は、前記第１態様よりも有利度が高い表示態様であって、
前記演出制御手段は、前記特定表示を前記第１態様にて表示した後に、該特定表示の表示態様を前記第２態様に変化させる特定表示演出を実行可能であり、実行された特定表示演出の実行態様に応じて、該特定表示演出の後に異なる割合により特定表示演出を実行可能である
ことを特徴とする請求項１に記載の遊技機。
【手続補正２】
【補正対象書類名】明細書
【補正対象項目名】０００７
【補正方法】変更
【補正の内容】
【０００７】
本発明の手段Ａの遊技機は、
可変表示を行い、遊技者にとって有利な有利状態に制御可能な遊技機（例えば、パチンコ遊技機１）であって、
演出表示手段（例えば、演出表示装置５）と、
演出の実行を制御する演出制御手段（例えば、演出制御用ＣＰＵ１２０）と、
を備え、
前記演出表示手段は、可変表示に対応する特定表示を、第１態様（例えば、通常保留）と該第１態様と異なる第２態様（例えば、青色保留や赤色保留）とを含む複数態様にて表示可能であり、
前記演出表示手段における所定領域の表示態様によって前記有利状態に制御される割合が異なり（例えば、保留記憶の表示態様が最終的に赤色保留に変化した場合が最も変動表示結果が大当りとなる割合が高く、保留記憶表示の表示態様が最終的に青色保留に変化した場合が次に変動表示結果が大当りとなる割合が高く、保留記憶表示の表示態様が最終的に通常保留であった場合が最も変動表示結果が大当りとなる割合が低くなっている部分）、
前記演出制御手段は、
前記所定領域の表示態様を変化させる所定領域変化演出（例えば、背景変化演出）と、
特定表示の表示態様を変化させる特定表示変化演出（例えば、保留変化演出）と、
前記演出表示手段に特別画像を表示する特別画像表示演出と、
前記特別画像表示演出の実行後において、複数のタイミングのうちのいずれかのタイミングにて前記特別画像の態様を変化させる特別演出と、
前記所定領域変化演出と前記特定表示変化演出と前記特別画像表示演出とのいずれかが実行されることを示唆する第１パターンと、前記所定領域変化演出と前記特別画像表示演出の両方が実行されることを示唆する第２パターンとを含む特定演出（例えば、変形例３におけるルーレット予告演出）と、
前記有利状態に制御されるか否かを報知可能なリーチ演出と、
を実行可能であり、
前記特定演出が実行された後に、前記所定領域変化演出と前記特定表示変化演出と前記特別画像表示演出のいずれも実行されない場合があり、
１の可変表示において前記リーチ演出が実行される前に前記特定演出が実行される場合と実行されない場合とがあり、
前記リーチ演出が実行される前に前記特定演出が実行される場合の方が、前記リーチ演出が実行される前に前記特定演出が実行されない場合よりも前記有利状態に制御される割合が高い
ことを特徴としている。
この特徴によれば、特定演出が実行されることにより、所定領域変化演出と特定表示変化演出のいずれかが実行されることに対する遊技者の期待感を高めることができるため、遊技興趣を向上できる。
本発明の手段１の遊技機は、
可変表示を行い、遊技者にとって有利な有利状態に制御可能な遊技機（例えば、パチンコ遊技機１）であって、
演出表示手段（例えば、演出表示装置５）と、
演出の実行を制御する演出制御手段（例えば、演出制御用ＣＰＵ１２０）と、
を備え、
前記演出表示手段は、可変表示に対応する特定表示を、第１態様（例えば、通常保留）と該第１態様と異なる第２態様（例えば、青色保留や赤色保留）とを含む複数態様にて表示可能であり、
前記演出表示手段における所定領域の表示態様によって前記有利状態に制御される割合が異なり（例えば、保留記憶の表示態様が最終的に赤色保留に変化した場合が最も変動表示結果が大当りとなる割合が高く、保留記憶表示の表示態様が最終的に青色保留に変化した場合が次に変動表示結果が大当りとなる割合が高く、保留記憶表示の表示態様が最終的に通常保留であった場合が最も変動表示結果が大当りとなる割合が低くなっている部分）、
前記演出制御手段は、
前記所定領域の表示態様を変化させる所定領域変化演出（例えば、背景変化演出）と、
特定表示の表示態様を変化させる特定表示変化演出（例えば、保留変化演出）と、
を実行可能である
ことを特徴としている。
この特徴によれば、特定演出が実行されることにより、所定領域変化演出と特定表示変化演出のいずれかが実行されることに対する遊技者の期待感を高めることができるため、遊技興趣を向上できる。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
電子部品に電力を供給可能な電源基板と、
前記電子部品が実装され、前記電源基板から電源電圧の供給を受けて電子部品の制御を行う制御基板と、
前記電子部品から発せられた熱を放熱する放熱手段と、を備え、
前記制御基板は、
電源電圧を安定化する安定化回路と、
音声信号を出力可能な音声回路と、を含み、
１の電源電圧を、特定の電気部品を駆動するための電源電圧の電源経路と、前記音声回路に供給するための電源電圧の電源経路とに分岐した後に、前記安定化回路により安定化した電源電圧を前記音声回路に供給し、
前記特定の電気部品は、電流駆動型の回路素子を含み、
前記安定化回路から前記音声回路までの配線長は、前記１の電源電圧を分岐してから前記安定化回路に入力するまでの配線長よりも短い、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本願に係る遊技機は、
遊技が可能な遊技機であって、
電子部品に電力を供給可能な電源基板と、
前記電子部品が実装され、前記電源基板から電源電圧の供給を受けて前記電子部品の制御を行う制御基板と、
前記電子部品から発せられた熱を放熱する放熱手段（例えば、ヒートシンク４５ＡＫ４０）と、を備え、
前記制御基板は、
電源電圧を安定化する安定化回路と、
音声信号を出力可能な音声回路と、を含み、
１の電源電圧を、特定の電気部品を駆動するための電源電圧の電源経路と、前記音声回路に供給するための電源電圧の電源経路とに分岐した後に、前記安定化回路により安定化した電源電圧を前記音声回路に供給し、
前記特定の電気部品は、電流駆動型の回路素子を含み、
前記安定化回路から前記音声回路までの配線長は、前記１の電源電圧を分岐してから前記安定化回路に入力するまでの配線長よりも短い、
ことを特徴とする。
（１）他の態様の遊技機は、遊技が可能な遊技機において、矩形状の電子部品（例えば、電子部品４５ＡＫ６０）が実装された基板（例えば、基板４５ＡＫ５０）と、前記電子部品から発せられた熱を放熱する矩形状のヒートシンク（例えば、ヒートシンク４５ＡＫ４０）と、を備え、前記ヒートシンクは、その辺が前記電子部品の辺と平行とならないように、前記電子部品に対して所定角度だけ回転させた状態で設けられている（例えば、図３６に示すように、電子部品４５ＡＫ６０の各辺４５ＡＫ６０ａ〜４５ＡＫ６０ｄに対して、ヒートシンク４５ＡＫ４０の各辺は傾斜している）、ことを特徴とする。
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
複数の波長帯の各色光を発光する複数のレーザ光源と、
前記各色光を合成して出力する複数のダイクロイックミラーと、
レーザ光固有のスペックルを解消するように、前記複数のダイクロイックミラーからの入射光を拡散する動的な拡散板とを備えた光源装置であって、
前記ダイクロイックミラーの１つは青色を反射するダイクロイックミラーであって、
前記複数のレーザ光源は青色レーザ光源を含み、
前記青色レーザ光源は、Ｐ偏光の短波長帯レーザ光と、当該短波長帯レーザ光よりも長い波長を有するＳ偏光の長波長帯レーザ光を発生する光源装置。
【請求項２】
前記複数のレーザ光源は緑色レーザ光源を含み、
前記緑色レーザ光源は、Ｐ偏光の短波長帯のレーザ光と、当該短波長帯レーザ光よりも長い波長を有するＳ偏光の長波長帯のレーザ光を発生する請求項１記載の光源装置。
【請求項３】
複数の波長帯の各色光を発光する複数のレーザ光源と、
前記各色光を合成して出力する複数のダイクロイックミラーと、
レーザ光固有のスペックルを解消するように、前記複数のダイクロイックミラーからの入射光を拡散する動的な拡散板とを備えた光源装置であって、
前記複数のダイクロイックミラーの１つは、青色を透過するダイクロイックミラーであり、
前記複数のレーザ光源は青色レーザ光源を含み、
前記青色レーザ光源は、Ｓ偏光の短波長帯レーザ光と、当該短波長帯レーザ光よりも長い波長を有するＰ偏光の長波長帯レーザ光を発生する光源装置。
【請求項４】
前記複数のレーザ光源は緑色レーザ光源を含み、
前記緑色レーザ光源は、Ｓ偏光の短波長帯のレーザ光と、当該短波長帯レーザ光よりも長い波長を有するＰ偏光の長波長帯のレーザ光を発生する請求項３記載の光源装置。
【請求項５】
前記複数のレーザ光源は半導体レーザ光源である請求項１〜４のうちのいずれか１つに記載の光源装置。
【請求項６】
前記複数のレーザ光源は直線偏光の光を発生する請求項１〜５のうちのいずれか１つに記載の光源装置。
【請求項７】
前記拡散板は、
ガラス基板の表面に微細な凹凸形状を円周状で形成することで構成された円形拡散板と、
前記円形拡散板を回転するモーターとを
備えた回転拡散板である請求項１〜６のうちのいずれか１つに記載の光源装置。
【請求項８】
請求項１〜７のうちのいずれか１つに記載の光源装置と、
前記光源装置からの光を集光して被照明領域に照明する照明光学系と、
映像信号に従って画像を前記被照明領域に形成する画像形成素子と、
前記画像形成素子で形成された画像を拡大投写する投写レンズとを備えた投写型立体表示装置。
【請求項９】
前記画像形成素子は液晶パネルである請求項８記載の投写型立体表示装置。
【請求項１０】
前記画像形成素子はミラー偏向型のデジタルマイクロミラーデバイスである請求項８記載の投写型立体表示装置。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
伸縮性を有する基材と、該基材に配置される伸びセンサと、を備える静電容量型伸びセンサシステムであって、
該伸びセンサは、金属アルコキシド化合物で架橋されてなるエラストマーを有する誘電層と、該誘電層を挟んで配置され、金属アルコキシド化合物で架橋されてなるエラストマーおよび導電材を有する複数の電極層と、を有するセンサ素子を備え、
測定周波数が０．１Ｈｚ以上１０ｋＨｚ以下の範囲において、該誘電層の最大比誘電率は最小比誘電率の１０倍以下であることを特徴とする静電容量型伸びセンサシステム。
【請求項２】
前記基材が伸縮する方向のうちの一方向を測定方向、該測定方向に垂直な方向を垂直方向と定義して、
前記センサ素子における該測定方向の長さは該垂直方向の長さに対して５倍以上であり、
前記伸びセンサのヤング率は２０ＭＰａ以下であり、
該伸びセンサのヤング率をＥ１（ＭＰａ）、厚さをＴ１（ｍｍ）、該基材のヤング率をＥ２（ＭＰａ）、厚さをＴ２（ｍｍ）とした場合に、次式（ｉ）を満足する請求項１に記載の静電容量型伸びセンサシステム。
１０≦（Ｅ１×Ｔ１）／（Ｅ２×Ｔ２）  ・・・（ｉ）
【請求項３】
前記伸びセンサは、前記センサ素子と前記基材との間に配置される接着層を備える請求項１または請求項２に記載の静電容量型伸びセンサシステム。
【請求項４】
前記接着層は、熱可塑性エラストマーを有する請求項３に記載の静電容量型伸びセンサシステム。
【請求項５】
前記接着層のヤング率は５０ＭＰａ以下、破断伸びは１０％以上である請求項３または請求項４に記載の静電容量型伸びセンサシステム。
【請求項６】
前記誘電層の前記エラストマーは、ニトリルゴム、水素化ニトリルゴム、カルボキシル基変性ニトリルゴム、カルボキシル基変性水素化ニトリルゴムから選ばれる一種以上である請求項１ないし請求項５のいずれかに記載の静電容量型伸びセンサシステム。
【請求項７】
前記導電材は、薄層黒鉛を含む請求項１ないし請求項６のいずれかに記載の静電容量型伸びセンサシステム。
【請求項８】
前記基材は布である請求項１ないし請求項７のいずれかに記載の静電容量型伸びセンサシステム。
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
柔軟であり、外面の少なくとも一部が不透明な包装材の内部の異物を検査する異物検査装置であって、
不透明な前記外面を平坦化する平坦化機構と、
二次元走査しつつ平坦化された前記外面にテラヘルツ光を照射するテラヘルツ光照射部と、
前記テラヘルツ光が反射された戻り光を受光するテラヘルツ光受光部と、
を備える、
異物検査装置。
【請求項２】
前記平坦化機構は、前記包装材を牽引して張力を付与する張力付与部である、
請求項１に記載の異物検査装置。
【請求項３】
中央部に空間を有するステージをさらに備え、
前記張力付与部が、前記ステージに取り付けられている、
請求項２に記載の異物検査装置。
【請求項４】
前記包装材に反射した可視光を受光する可視光受光部をさらに備える、
請求項１に記載の異物検査装置。
【請求項５】
柔軟であり、外面の少なくとも一部が不透明な包装材の内部の異物を検査する異物検査方法であって、
不透明な前記外面を平坦化する平坦化工程と、
二次元走査しつつ平坦化された前記外面にテラヘルツ光を照射するテラヘルツ光照射工程と、
前記テラヘルツ光が反射された戻り光を受光するテラヘルツ光受光工程と、
を備える、
異物検査方法。
【請求項６】
前記平坦化工程は、前記包装材を牽引して張力を付与する張力付与工程である、
請求項５に記載の異物検査方法。
【請求項７】
前記包装材は、透明で柔軟な第一部材と、不透明かつ柔軟で滅菌ガスを透過可能な第二部材とで形成されている、請求項５に記載の異物検査方法。
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
電力ケーブルにおける部分放電を検出する部分放電検出装置であって、
前記電力ケーブルに流れる交流波形のアナログ信号をデジタル信号に変換する、第１の変換器と、
部分放電の電流のアナログ信号をデジタル信号に変換する、第２の変換器と、
前記第２の変換器によって変換された前記部分放電の電流のデジタル信号の処理を行う信号処理部と、を備え、
前記第２の変換器は、複数のナイキスト周波数領域のアナログ信号に対して、デジタル信号への変換を行い、
前記信号処理部は、前記第１の変換器で変換された前記交流波形のデジタル信号から、前記交流波形の位相を求め、求めた前記交流波形の位相を用いて、前記第２の変換器で変換された前記部分放電の電流のデジタル信号に対して、信号の量を低減する処理を行う  部分放電検出装置。
【請求項２】
前記信号処理部において処理を行った信号を外部ネットワークに出力する、通信部をさらに備えた、請求項１に記載の部分放電検出装置。
【請求項３】
前記信号処理部は、前記交流波形の１周期を所定の位相間隔に分割して、前記所定の位相間隔の全ての区間もしくは一部の区間について、部分放電の電荷量として前記部分放電の電流の最大値または総和を求め、前記全ての区間もしくは前記一部の区間の前記交流波形の所定の周期数毎における前記部分放電の電荷量の最大値を抽出することにより、信号の量を低減する処理を行う、請求項１に記載の部分放電検出装置。
【請求項４】
電力ケーブルにおける部分放電を検出する部分放電検出方法であって、
前記電力ケーブルに流れる交流波形のアナログ信号をデジタル信号に変換し、
複数のナイキスト周波数領域の前記部分放電の電流のアナログ信号に対して、デジタル信号への変換を行い、
前記交流波形のデジタル信号から前記交流波形の位相を求め、求めた前記交流波形の位相を用いて、前記部分放電の電流のデジタル信号に対して、信号の量を低減する処理を行う
部分放電検出方法。
【請求項５】
前記交流波形の１周期を所定の位相間隔に分割して、前記所定の位相間隔の全ての区間もしくは一部の区間について、部分放電の電荷量として前記部分放電の電流の最大値または総和を求め、前記全ての区間もしくは前記一部の区間の前記交流波形の所定の周期数毎における前記部分放電の電荷量の最大値を抽出することにより、信号の量を低減する処理を行う、請求項４に記載の部分放電検出方法。
【手続補正２】
【補正対象書類名】明細書
【補正対象項目名】００１２
【補正方法】変更
【補正の内容】
【００１２】
本発明の部分放電検出装置は、電力ケーブルにおける部分放電を検出する部分放電検出装置である。そして、電力ケーブルに流れる交流波形のアナログ信号をデジタル信号に変換する、第１の変換器と、部分放電の電流のアナログ信号をデジタル信号に変換する、第２の変換器を備える。また、第２の変換器によって変換された部分放電の電流のデジタル信号の処理を行う信号処理部を備える。第２の変換器は、複数のナイキスト周波数領域のアナログ信号に対して、デジタル信号への変換を行う。信号処理部は、第１の変換器で変換された交流波形のデジタル信号から交流波形の位相を求め、求めた交流波形の位相を用いて、第２の変換器で変換された部分放電の電流のデジタル信号に対して、信号の量を低減する処理を行う。